(57)【要約】【課題】ベースフレーム２０やＹテーブル３０に対を成して組み付けられるレール２３，２４，４０，４１，３７，３８，５３，５４の平行度に若干の狂いがあってもＹテーブル３０やＸテーブル５０を円滑に移動操作できる拡大読書器を提供する。【解決手段】一方の第２Ｘレール５３をＸテーブル５０に固定し、Ｘ軸ピン５６とＸ軸ピン用長穴５８との嵌合によって他方の第２Ｘレール５４をＸテーブル５０にＹ方向へ変位可能に、かつＸ軸ピン５６を支点にして回動可能に組み付け。両第２Ｘレール５３，５４の平行度に若干の狂いがあっても、他方の第２Ｘレール５４のＹ方向のへの変位と、Ｘ軸５６を支点とする回動によって平行度の狂いを吸収できる。そのため、Ｘテーブル５０のＸ方向への移動操作が円滑に行える。【選択図】図２
2012105110.tif 000002
【特許請求の範囲】
【請求項１】
ベースフレームにＹ方向へ移動可能に設置したＹテーブルと、ＹテーブルにＹ方向と直交するＸ方向へ移動可能に設置したＸテーブルと、Ｘテーブルに載置した資料をＸテーブルの上方から撮像するビデオカメラユニットと、ビデオカメラユニットで撮像した資料の拡大画像を表示するモニターディスプレイを備え、
左右一対の第１Ｙレールをベースフレームに固定し、左右一対の第２ＹレールをＹテーブルの裏面に組み付け、第１Ｙレールに第２Ｙレールを摺動可能に連結することによりＹテーブルをベースフレームにＹ方向へ移動可能に組み付け、
左右一対の第１ＸレールをＹテーブルの表面に固定し、左右一対の第２ＸレールをＸテーブルの裏面に組み付け、第１Ｘレールに第２Ｘレールを摺動可能に連結することによりＸテーブルをＹテーブルにＸ方向へ移動可能に組み付けた拡大読書器であって、
一方の第２ＹレールをＹテーブルに固定し、
Ｙ軸をＹテーブル又は他方の第２Ｙレールに立設し、Ｙ軸がＸ方向だけに変位可能に嵌合するＹ軸用長穴を他方の第２Ｙレール又はＹテーブルに形成し、
Ｙ軸をＹ軸用長穴に嵌合し、
他方の第２ＹレールがＸ方向に変位可能に、かつＹ軸を支点にしてＹテーブル表面と略平行な面内で回動可能にＹテーブルに組み付けたことを特徴とする拡大読書器。
【請求項２】
ベースフレームにＹ方向へ移動可能に設置したＹテーブルと、ＹテーブルにＹ方向と直交するＸ方向へ移動可能に設置したＸテーブルと、Ｘテーブルに載置した資料をＸテーブルの上方から撮像するビデオカメラユニットと、ビデオカメラユニットで撮像した資料の拡大画像を表示するモニターディスプレイを備え、
左右一対の第１Ｙレールをベースフレームに固定し、左右一対の第２ＹレールをＹテーブルの裏面に組み付け、第１Ｙレールに第２Ｙレールを摺動可能に連結することによりＹテーブルをベースフレームにＹ方向へ移動可能に組み付け、
左右一対の第１ＸレールをＹテーブルの表面に固定し、左右一対の第２ＸレールをＸテーブルの裏面に組み付け、第１Ｘレールに第２Ｘレールを摺動可能に連結することによりＸテーブルをＹテーブルにＸ方向へ移動可能に組み付けた拡大読書器であって、
一方の第２ＸレールをＸテーブルに固定し、
Ｘ軸をＸテーブル又は他方の第２Ｘレールに立設し、Ｘ軸がＹ方向だけに変位可能に嵌合するＸ軸用長穴を他方の第２Ｘレール又はＸテーブルに形成し、
Ｘ軸をＸ軸用長穴に嵌合し、
他方の第２ＸレールがＹ方向に変位可能かつ、Ｘ軸を支点にしてＸテーブル表面と略平行な面内で回動可能にＸテーブルに組み付けたことを特徴とする拡大読書器。
【発明の詳細な説明】
【技術分野】
【０００１】
本発明は書籍や新聞等の資料の小さな文字や写真を低視力者でも読めるようにモニターディスプレイに拡大表示する拡大読書器に関する。
【背景技術】
【０００２】
拡大読書器の一形式として、特開平１１−１４９２５８号公報には、ベースフレームにＹ方向（前後方向）へ移動可能に設置したＹテーブルと、ＹテーブルにＹ方向と直交するＸ方向（左右方向）へ移動可能に設置したＸテーブルと、Ｘテーブルに載置した書籍や新聞等の資料をＸテーブルの上方から撮像するビデオカメラユニットと、ビデオカメラユニットで撮像した資料の拡大画像を表示するテレビモニターを備えた拡大読書器が開示されている。
【０００３】
この拡大読書器では、左右一対の第１Ｙレールをベースフレームに固定し、左右一対の第２ＹレールをＹテーブルの裏面に固定し、第１Ｙレールに第２Ｙレールを摺動可能に連結することによりＹテーブルをベースフレームにＹ方向へ移動可能に組み付けている。
【０００４】
また、前後一対の第１ＸレールをＹテーブルの表面に固定し、前後一対の第２ＸレールをＸテーブルの裏面に固定し、第１Ｘレールに第２Ｘレールを摺動可能に連結することによりＸテーブルをＹテーブルにＸ方向へ移動可能に組み付けている。
【先行技術文献】
【特許文献】
【０００５】
【特許文献１】特開平１１−１４９２５８号公報
【発明の概要】
【発明が解決しようとする課題】
【０００６】
ところで、各レール部品には製造時における寸法精度のバラツキや各レールの組み付け作業時における組み付け精度のバラツキが不可避的に生ずる。そのため、対を成す左右のレールや前後のレールを完全に平行に組み付けることはできないので、製品によっては、ＹテーブルやＸテーブルの動きが重くなり、操作感が悪くなる。
【０００７】
本発明はかかる問題点に鑑み、ベースフレームやＹテーブルに対を成して組み付けられるレールの平行度に若干の狂いがあってもＹテーブルやＸテーブルを円滑に移動操作できる拡大読書器を提供することを目的とする。
【課題を解決するための手段】
【０００８】
上記目的を達成するため請求項１に記載の発明は、ベースフレームにＹ方向へ移動可能に設置したＹテーブルと、ＹテーブルにＹ方向と直交するＸ方向へ移動可能に設置したＸテーブルと、Ｘテーブルに載置した資料をＸテーブルの上方から撮像するビデオカメラユニットと、ビデオカメラユニットで撮像した資料の拡大画像を表示するモニターディスプレイを備え、
左右一対の第１Ｙレールをベースフレームに固定し、左右一対の第２ＹレールをＹテーブルの裏面に組み付け、第１Ｙレールに第２Ｙレールを摺動可能に連結することによりＹテーブルをベースフレームにＹ方向へ移動可能に組み付け、
左右一対の第１ＸレールをＹテーブルの表面に固定し、左右一対の第２ＸレールをＸテーブルの裏面に組み付け、第１Ｘレールに第２Ｘレールを摺動可能に連結することによりＸテーブルをＹテーブルにＸ方向へ移動可能に組み付けた拡大読書器であって、
一方の第２ＹレールをＹテーブルに固定し、
Ｙ軸をＹテーブル又は他方の第２Ｙレールに立設し、Ｙ軸がＸ方向だけに変位可能に嵌合するＹ軸用長穴を他方の第２Ｙレール又はＹテーブルに形成し、
Ｙ軸をＹ軸用長穴に嵌合し、
他方の第２ＹレールがＸ方向に変位可能に、かつＹ軸を支点にしてＹテーブル表面と略平行な面内で回動可能にＹテーブルに組み付けたことを特徴とする。
【０００９】
請求項２に記載の発明は、ベースフレームにＹ方向へ移動可能に設置したＹテーブルと、ＹテーブルにＹ方向と直交するＸ方向へ移動可能に設置したＸテーブルと、Ｘテーブルに載置した資料をＸテーブルの上方から撮像するビデオカメラユニットと、ビデオカメラユニットで撮像した資料の拡大画像を表示するモニターディスプレイを備え、
左右一対の第１Ｙレールをベースフレームに固定し、左右一対の第２ＹレールをＹテーブルの裏面に組み付け、第１Ｙレールに第２Ｙレールを摺動可能に連結することによりＹテーブルをベースフレームにＹ方向へ移動可能に組み付け、
左右一対の第１ＸレールをＹテーブルの表面に固定し、左右一対の第２ＸレールをＸテーブルの裏面に組み付け、第１Ｘレールに第２Ｘレールを摺動可能に連結することによりＸテーブルをＹテーブルにＸ方向へ移動可能に組み付けた拡大読書器であって、
一方の第２ＸレールをＸテーブルに固定し、
Ｘ軸をＸテーブル又は他方の第２Ｘレールに立設し、Ｘ軸がＹ方向だけに変位可能に嵌合するＸ軸用長穴を他方の第２Ｘレール又はＸテーブルに形成し、
Ｘ軸をＸ軸用長穴に嵌合し、他方の第２ＸレールがＹ方向に変位可能かつ、Ｘ軸を支点にしてＸテーブル表面と略平行な面内で回動可能にＸテーブルに組み付けたことを特徴とする。
【発明の効果】
【００１０】
請求項１に記載の発明によれば、一方の第２ＹレールをＹテーブルに固定し、Ｙ軸とＹ軸用長穴との嵌合によって他方の第２ＹレールをＹテーブルにＸ方向へ変位可能に、かつＹ軸を支点にして回動可能に組み付けたので、両第２Ｙレールの平行度に若干の狂いがあっても、他方の第２ＹレールのＸ方向のへの変位と、Ｙ軸を支点とする回動によって平行度の狂いを吸収できる。そのため、Ｙテーブルの移動操作が円滑に行える。
【００１１】
請求項２に記載の発明によれば、一方の第２ＸレールをＸテーブルに固定し、Ｘ軸とＸ軸用長穴との嵌合によって他方の第２ＸレールをＸテーブルにＹ方向へ変位可能に、かつＸ軸を支点にして回動可能に組み付けたので、両第２Ｘレールの平行度に若干の狂いがあっても、他方の第２ＸレールのＹ方向のへの変位と、Ｘ軸を支点とする回動によって平行度の狂いを吸収できる。そのため、Ｘテーブルの移動操作が円滑に行える。
【図面の簡単な説明】
【００１２】
【図１】本発明の一実施例に係る拡大読書器を示す斜視図である。
【図２】同拡大読書のＹテーブルをＹ方向へ移動し、ＸテーブルをＸ方向へ移動した状態を示す斜視図である。
【図３】図１の３−３線から切断した断面図である。
【図４】図３の４−４線から切断した端面図である。
【図５】図１の５−５線から切断した断面図である。
【図６】ＹテーブルとＸテーブルの一部破断した平面図である。
【実施例】
【００１３】
以下に本発明を図面に基づき説明するに、図１及び図２には本発明の一実施例に係る拡大読書器１０が示されている。当該拡大読書器１０は、ベースフレーム２０、Ｙテーブル３０、Ｘテーブル５０、支柱フレーム６０、アッパーフレーム６１及び液晶モニターディスプレイ７０を備えている。
【００１４】
ベースフレーム２０は左右一対のガイドフレーム２１，２２を備えている。これら２本のガイドフレーム２１，２２は互いに平行となるように設けられ、Ｙ方向（前後方向）に延びている。各ガイドフレーム２１，２２の外側面には第１Ｙレール２３，２４がビス２５で固定され、Ｙ方向に延びている。詳しくは後述するが、Ｙテーブル３０は両第１Ｙレール２３，２４を介してＹ方向へ移動可能にベースフレーム２０に載置されている。Ｙテーブル３０の正面には操作パネル３１が一体に設けられている。この操作パネル３１には後述するビデオカメラユニットをコントロールするためのズームボタン３２やコントラスト調整ボタン３３、照明点灯ボタン３４等の各種の撮像制御ボタンが配列されている。
Ｙテーブル３０の正面側の右角隅部側面にはＹテーブル３０のＹ方向の移動を制動して所望位置に停止させるとき回転操作するＹテーブル用ブレーキ摘み１００が設けられている。Ｙテーブル３０の正面側の左角隅部側面にＹテーブル３０をＹ方向へ移動操作するときに掴むＹテーブル用取手１０１が設けられている。
【００１５】
Ｙテーブル３０の表面には互いに平行となるように配置した前後一対の第１Ｘレール３７，３８がビスで固定され、Ｙ方向と直交するＸ方向（左右方向）へ延びている。詳しくは後述するが、２本の第１Ｘレール３７，３８に書籍や新聞等の資料を載置するＸテーブル５０がＸ方向へ移動可能に載置されている。各第１Ｘレール３７，３８の右端にはエッジカバー３７ａ，３８ａが取り付けられている。Ｘテーブル５０の正面の右角隅部にはＸテーブル５０のＸ方向の移動を制動して所望位置に停止させるとき回転操作するＸテーブル用ブレーキ摘み１０２が設けられている。また、Ｘテーブル５０の正面側の右角隅部側面に、Ｘテーブル５０をＸ方向へ移動操作するときに掴むＸテーブル用取手１０３が設けられている。
【００１６】
ベースフレーム２０の背面側端部に支柱フレーム６０が立設され、支柱フレーム６０の上端部にアッパーフレーム６１の後端部が固定されている。アッパーフレーム６１は中空構造を有し、内部にビデオカメラユニット６２と、ビデオカメラユニット６１の撮像方向をＸテーブル５０に載置した資料に向けるためのミラー６３が配設されている。
【００１７】
アッパーフレーム６１の前部上面には軸受筒部６４が固設され、該軸受筒部６４に軸部６５が回転可能に支持されている。この軸部６５の左右両端にはアーム６６が固定され、アーム６６の先端部に液晶ディスプレイ７０が取り付けられている。液晶ディスプレイ７０は軸部６５の回転に伴い、図１及び図２に示すように正面を向いた使用位置と、アッパーフレーム６１とＸテーブル５０の間に格納される格納位置（図示略）との間で回動可能に設けられている。
【００１８】
図３に示すように、ベースフレーム２０に固設した左右のガイドフレーム２１，２２は断面形状が横長長方形の中空構造を有し、各ガイドフレーム２１，２２の外側面に第１Ｙレール２３，２４が固定されている。各第１Ｙレール２３，２４はコ字形断面を有する。一方、Ｙテーブル３０の裏面には断面Ｌ字形の２本のプレート３９，４０が組み付けられ、各プレート３９，４０に第２Ｙレール４１，４２が固定されている。各第２Ｙレール４１４２はその上下両端部がベアリング（図示略）を介して第１Ｙレール２３，２４に摺動可能に連結されている。
【００１９】
図４に示すように、右側の第２Ｙレール４１を固定した右側プレート３９はＹテーブルの裏面に３０にビス４３で固定されている。一方、Ｙテーブル３０の裏面にはＹ軸ピン４４が垂設されている。また、左側の第２Ｙレール４２を固定した左側プレート４０にはＹ方向に沿って前後２箇所にＹ軸ピン用長穴４６とビス用長穴４７が形成され、各長穴４６，４７はＸ方向に延びている。Ｙ軸ピン４４はＹ軸ピン用長穴４６にＸ方向だけに変位可能に緊密に嵌合している。図３に示すように、Ｙテーブル３０の裏面には左側の第２Ｙレール４２を固定したプレート４０がＹテーブル３０の裏面から脱落するのを防止するための抜け止めプレート４８が取り付けられている。このプレート４８はビス４５，４９でＹテーブル３０に固定されている。一方のビス４５はビス用長穴４７に挿通されている。このビス４５は後述するように左側の第２Ｙレール４２を固定したプレート４０がＹテーブル３０表面と平行な面内で回動できるように、ビス用長穴４７にクリアランスをもって挿通されている。
【００２０】
以上説明したように、左側の第２Ｙレール４２を固定した左側プレート４０をピン４４，ビス４５と長穴４６，４７を介してＹテーブル３０の裏面に組み付けたので、左側の第２Ｙレール４２はＹテーブル３０にＸ方向へ変位可能に、かつＹ軸ピン４４を支点にしてＹテーブル表面と平行な面内で左右方向に回動可能に組み付けられている。
【００２１】
図５に示すように、各第１Ｘレール３７，３８は溝形断面を有する。一方、Ｘテーブル５０の裏面にはプレート５１，５２が２本組み付けられ、各プレート５１，５２に第２Ｘレール５３，５４が固定されている。各第２Ｘレール５３，５４はその左右両端部がベアリング（図示略）を介して第１Ｘレール３７，３８に摺動可能に連結されている。
【００２２】
図２に示すように、前側の第２Ｘレール５３を固定したプレート５１はＸテーブル５０にビス５５で固定されている。一方、Ｘテーブル５０の裏面にはＸ軸ピン５６が立設されている。また、後側の第２Ｘレール５４を固定したプレート５２にはＸ方向に沿って左右２箇所にＸ軸ピン用長穴５８とビス用長穴５９が形成され、各長穴５８，５９はＹ方向に延びている。Ｘ軸ピン５６はＸ軸ピン用長穴５８にＹ方向だけに変位可能に緊密に嵌合している。図５に示すように、Ｘテーブル５０の裏面には後側の第２Ｘレール５４を固定したプレート５２がＸテーブル５０から脱落するのを防止するための抜け止めプレート６７が取り付けられている。このプレート６７はビス５７，６８でＸテーブル５０に固定されている。一方のビス５７はビス用長穴５９に挿通されている。このビス５７は後述するように後側の第２Ｘレール５４を固定したプレート５２がＸテーブル５０表面と平行な面内で回動できるように、ビス用長穴５９にクリアランスをもって挿通されている。
【００２３】
以上説明したように、後側の第２Ｘレール５４を固定したプレート５２をピン５６，ビス５７と長穴５８，５９を介してＸテーブル５０の裏面に組み付けたので、後側の第２Ｘレール５４はＸテーブル５０にＹ方向へ変位可能に、かつＸ軸ピン５６を支点にしてＸテーブル５０表面と平行な面内で前後方向へ回動可能に組み付けられている。
【００２４】
図６に示すように、Ｙテーブル３０には、Ｙテーブル用ブレーキシャフト８０、Ｙテーブル用ブレーキレバー８１及びＹテーブル用ブレーキパッド８２が内蔵されている。
Ｙテーブル用ブレーキレバー８１はＹテーブルの右側面内部に固定したプレート８３（図３参照）に立設したブレーキ用Ｙ軸８４を支点にしてＹテーブルと平行な面内で左右方向に回動可能にＹテーブル３０に組み付けられている。
【００２５】
Ｙテーブル用ブレーキレバー８１の後端部にＹテーブル用ブレーキパッド８２がビスで固定されている。一方、ベースフレーム２０には逆断面Ｌ字形のプレート８５（図３参照）が固定され、右側の第１Ｙレール２３と平行に延びている。そして、Ｙテーブル用ブレーキパッド８２がプレート８５に対向するように配置されている。
【００２６】
Ｙテーブル用ブレーキシャフト８０はスクリューシャフトから成り、ブラケット８６でＹテーブル３０に回転可能かつ進退不能に組み付けられている。Ｙテーブル用ブレーキシャフト８０の外端部にＹテーブル用ブレーキ摘み１００が取り付けられている。一方、Ｙテーブル用ブレーキシャフト８０の内端部に、ネジ溝を有するＹテーブル用ブレーキブロック８８が進退可能にネジ付けられている。そして、Ｙテーブル用ブレーキブロック８８がＹテーブル用ブレーキレバー８１の反Ｙテーブル用ブレーキパッド８２側の端部に連結されている。また、Ｙ軸８４とＹテーブル用ブレーキパッド８２との間隔はＹ軸８４とＹテーブル用ブレーキシャフト８０との間隔より短く設定されている。
【００２７】
Ｘテーブル５０には、Ｘテーブル用ブレーキシャフト９０、Ｘテーブル用ブレーキレバー９１及びＸテーブル用ブレーキパッド９２が内蔵されている。Ｘテーブル用ブレーキレバー９１はＸテーブル５０の前側の第２Ｘレール５３に近接して配置され、同レール５３と平行に延びている。Ｘテーブル用ブレーキレバー９１はこの第２Ｘレール５３を固定したプレート５１に立設したブレーキ用Ｘ軸９３を支点にしてＸテーブルと平行な面内で前後方向に回動可能にＸテーブル５０に組み付けられている。
【００２８】
Ｘテーブル用ブレーキレバー９１の左端部にＸテーブル用ブレーキパッド９２がビスで固定されている。第２Ｘレール５３を固定したプレート５１には切欠５１ａが形成され、Ｘテーブル用ブレーキパッド９２がこの切欠５１ａを通して第１Ｘレール３７に対向するように配置されている。
【００２９】
Ｘテーブル用ブレーキシャフト９０はスクリューシャフトから成り、ブラケット９４でＸテーブル５０に回転可能かつ進退不能に組み付けられている。Ｘテーブル用ブレーキシャフト９０の外端部にＸテーブル用ブレーキ摘み１０２が取り付けられている。一方、Ｘテーブル用ブレーキシャフト９０の内端部に、ネジ溝を有するＸテーブル用ブレーキブロック９６が進退可能にネジ付けられている。そして、Ｘテーブル用ブレーキブロック９６がＸテーブル用ブレーキレバー９１の反Ｘテーブル用ブレーキパッド９２側の端部に連結されている。また、Ｘ軸９３とＸテーブル用ブレーキパッド９２との間隔はＸ軸９３とＸテーブル用ブレーキシャフト９０との間隔より短く設定されている。
【００３０】
本実施例に係る拡大読書器１０の構造は以上の通りであって、次にその使用方法を説明する。Ｘテーブル５０に書籍や新聞等の資料を載置し、資料のサイズや縦長若しくは横長等の形状に合わせて、ビデオカメラユニット６２の撮像レンズの光軸が拡大したい部分の中心に一致するように、Ｙテーブル３０とＸテーブル５０をそれぞれ取手１０１，１０３を掴んでＹ方向及びＸ方向へ移動させ、ブレーキ摘み１００，１０２を回転操作して所望位置にＹテーブル３０とＸテーブル５０を制動停止させる。ブレーキ摘み１００，１０２を回転操作すると、ブレーキブロック８８，９６がそれぞれブレーキシャフト８０，９０に沿って進退し、それに伴いブレーキレバー８１，９１が図６に二点鎖線で示す位置から実線で示す位置へと回動し、ブレーキパッド８２がプレート８５に圧接してＹテーブルが制動される。また、ブレーキパッド９２が第１Ｘレールに圧接してＸテーブルが制動される。そして、ビデオカメラユニット６２で資料を撮像し、液晶ディスプレイ７０に拡大表示する。
【００３１】
本実施例に係る拡大読書器によれば、一方の第２Ｙレール４１をＹテーブル３０に固定し、Ｙ軸ピン４４とＹ軸ピン用長穴４６との嵌合によって他方の第２Ｙレール４２をＹテーブル３０にＸ方向へ変位可能に、かつＹ軸ピン４４を支点にして回動可能に組み付けたので、両第２Ｙレール４１，４２の平行度に若干の狂いがあっても、他方の第２Ｙレール４２のＸ方向のへの変位と、Ｙ軸ピン４４を支点とする回動によって平行度の狂いを吸収できる。そのため、Ｙテーブル３０のＹ方向への移動操作が円滑に行える。
【００３２】
また、一方の第２Ｘレール５３をＸテーブル５０に固定し、Ｘ軸ピン５６とＸ軸ピン用長穴５８との嵌合によって他方の第２Ｘレール５４をＸテーブル５０にＹ方向へ変位可能に、かつＸ軸ピン５６を支点にして回動可能に組み付けたので、両第２Ｘレール５３，５４の平行度に若干の狂いがあっても、他方の第２Ｘレール５４のＹ方向のへの変位と、Ｘ軸５６を支点とする回動によって平行度の狂いを吸収できる。そのため、Ｘテーブル５０のＸ方向への移動操作が円滑に行える。
【符号の説明】
【００３３】
１０…拡大読書器
２０…ベースフレーム
２３，２４…第１Ｙレール
３０…Ｙテーブル
３７，３８…第１Ｘレール
４１，４２…第２Ｙレール
４４…Ｙ軸ピン
４５…ビス
４６…Ｙ軸ピン用長穴
４７…ビス用長穴
５０…Ｘテーブル
５３，５４…第２Ｘレール
５６…Ｘ軸ピン
５７…ビス
５８…Ｘ軸ピン用長穴
５９…ビス用長穴
【図１】
2012105110.tif 000003
【図２】
2012105110.tif 000004
【図３】
2012105110.tif 000005
【図４】
2012105110.tif 000006
【図５】
2012105110.tif 000007
【図６】
2012105110.tif 000008